(57)【要約】【課題】紙粉が投光部の投光面及び受光部の受光面に付着することを抑制する液体吐出装置を提供することにある。【解決手段】プリンターの媒体検出部は、用紙に光を照射する投光部６８と、投光部６８から照射された光を受光する受光部７０とを有し、搬送経路よりも鉛直方向の上方に配置される光学式センサー６６と、用紙の搬送経路よりも鉛直方向の下方に配置され、投光部６８から照射された光を受光部７０に向けて反射する反射板７２とを有する。投光部６８の投光面及び受光部７０の受光面は、搬送経路に対して用紙の搬送方向の下流側に向けて上り勾配となるように傾いており、反射板７２は、鉛直方向に対して斜めに交差するように傾いている。【選択図】図３
2020082355.tif 000002
【特許請求の範囲】
【請求項１】
給送部から給送された媒体に液体を吐出する液体吐出部と、
前記液体吐出部により前記液体が吐出された前記媒体を排出する媒体排出部と、
前記給送部から前記媒体排出部へと前記媒体が搬送される搬送経路と、
前記媒体の前記搬送経路に配置され、前記搬送経路に沿って搬送される前記媒体を検出する媒体検出部と
を備え、
前記媒体検出部は、
前記媒体に光を照射する投光部と、前記投光部から照射された光を受光する受光部とを有し、前記搬送経路よりも鉛直方向の上方に配置される光学式センサーと、
前記媒体の搬送経路よりも鉛直方向の下方に配置され、前記投光部から照射された光を前記受光部に向けて反射する反射板と
を有し、
前記投光部の投光面及び前記受光部の受光面は、前記搬送経路に対して前記媒体の搬送方向の下流側に向けて上り勾配となるように傾いており、
前記反射板は、鉛直方向に対して斜めに交差するように傾いている
ことを特徴とする液体吐出装置。
【請求項２】
前記媒体排出部は、
第１排出部と、
前記第１排出部に対して前記媒体の搬送方向に間隔を隔てて配置された第２排出部と
を備え、
前記媒体検出部は、前記媒体の前記搬送経路における前記第１排出部と前記第２排出部との間に配置される
請求項１に記載の液体吐出装置。
【請求項３】
前記媒体排出部には、前記搬送経路に沿う方向とは異なる方向に開口した通気口が設けられる
請求項１または請求項２に記載の液体吐出装置。
【請求項４】
前記媒体排出部は、媒体の搬送経路を形成する経路形成部材を有し、
前記光学式センサーは、前記経路形成部材に支持されている
請求項１〜３のいずれか一項に記載の液体吐出装置。
【請求項５】
前記経路形成部材は、前記光学式センサーが着脱可能に構成された装着口を有し、
前記反射板は、前記装着口を通じて操作可能な位置に配置されている
請求項４に記載の液体吐出装置。
【発明の詳細な説明】
【技術分野】
【０００１】
本発明は、液体吐出装置に関する。
【背景技術】
【０００２】
例えば特許文献１に記載の印刷装置は、印刷媒体の搬送経路上に印刷媒体の先端を検出する光学式のセンサーを有している。このセンサーは、投光部と受光部とを有し、投光部から出力された光が印刷媒体に遮られることなく受光部に到達するか否かに基づいて、投光部と受光部との光路上における印刷媒体の有無を検出している。
【先行技術文献】
【特許文献】
【０００３】
【特許文献１】特開２０１６−８８６５６号公報
【発明の概要】
【発明が解決しようとする課題】
【０００４】
ところで、上記文献に記載の装置では、印刷ヘッドから印刷媒体にインクを吐出する際にインクミストが発生する。インクミストが印刷媒体の搬送経路に沿うように流動してセンサーの投光面又は受光面に付着した場合、センサーによる印刷媒体の検出精度を低下させる虞があった。また、印刷媒体の搬送過程で飛散する紙粉がセンサーの投光面又は受光面に付着した場合にも、センサーによる印刷媒体の検出精度を低下させる虞があった。
【課題を解決するための手段】
【０００５】
上記課題を解決する液体吐出装置は、給送部から給送された媒体に液体を吐出する液体吐出部と、前記液体吐出部により前記液体が吐出された前記媒体を排出する媒体排出部と、前記給送部から前記媒体排出部へと前記媒体が搬送される搬送経路と、前記媒体の前記搬送経路に配置され、前記搬送経路に沿って搬送される前記媒体を検出する媒体検出部とを備え、前記媒体検出部は、前記媒体に光を照射する投光部と、前記投光部から照射された光を受光する受光部とを有し、前記搬送経路よりも鉛直方向の上方に配置される光学式センサーと、前記媒体の搬送経路よりも鉛直方向の下方に配置され、前記投光部から照射された光を前記受光部に向けて反射する反射板とを有し、前記投光部の投光面及び前記受光部の受光面は、前記搬送経路に対して前記媒体の搬送方向の下流側に向けて上り勾配となるように傾いており、前記反射板は、鉛直方向に対して斜めに交差するように傾いている。
【図面の簡単な説明】
【０００６】
【図１】プリンターの一実施の形態の斜視図。
【図２】プリンターの横断面図。
【図３】媒体排出部の断面図。
【図４】プリンターの平面図。
【図５】経路形成部材の斜視図。
【図６】光学式センサーの周辺構成の断面図。
【図７】光学式センサーを取り外した状態の装着口の要部拡大図。
【発明を実施するための形態】
【０００７】
以下、記録装置の一実施の形態について図面を参照して説明する。
【０００８】
図１に示すように、記録装置の一例としてのインクジェット式のプリンター１１は、水
平な場所に設置された状態で、高さ、奥行、及び幅としてそれぞれ所定の長さを有する筐体１２と、筐体１２の上方に配置された原稿読取装置１３と、原稿読取装置１３の上方に配置された自動原稿送り装置１４とを備えている。
【０００９】
自動原稿送り装置１４は、複数の原稿Ｇを積層状態でセット可能なセット部１５と、セット部１５の下側に配置された原稿排出部１６とを備えている。そして、セット部１５に積層状態でセットされた複数の原稿Ｇは、原稿送り経路を介して原稿排出部１６へ送られる過程で原稿読取装置１３の内部に設置された読取部によって読み取られる。
【００１０】
筐体１２の前面部分には、カバー１７、装着口１８、排出口１９が設けられている。装着口１８には、用紙Ｐを収容した用紙カセット２０が着脱自在に装着されている。排出口１９には、記録済みの用紙Ｐを支持する排出トレイ２２が前方側に突出するように着脱自在に装着されている。原稿読取装置１３の前面部分には、各種の操作を行うための操作部２１が設けられている。なお、筐体１２の前面及び原稿読取装置１３の前面とは、高さと幅を有し、ユーザーがプリンター１１の操作を主に行う側面のことをいう。
【００１１】
図１及び図２に示すように、筐体１２の後上部には、いわゆる手差し印刷を行うために用紙Ｐを支持して給送する媒体給送機構３２が設けられている。媒体給送機構３２は、複数の用紙Ｐを支持可能な媒体支持部３４と、媒体支持部３４に支持された複数の用紙Ｐを記録部２５に向けて給送する給送部の一例としての給紙ローラー３５とを備えている。
【００１２】
媒体支持部３４は、上端が開口したハウジング３８と、ハウジング３８の上端の開口を開閉する蓋体３９とを備えている。ハウジング３８の内部には、複数の用紙Ｐを積層状態で載置可能な板状の載置部３３と、載置部３３の後側に設けられた収容部４０とが配置されている。
【００１３】
筐体１２の内部には、用紙Ｐを支持する支持台４２が配置されている。媒体支持部３４と支持台４２との間には、給紙ローラー３５によって一枚ずつ給送される用紙Ｐを支持台４２に順次搬送する各種の搬送ローラーを含む搬送部４４が設けられている。
【００１４】
支持台４２の上方には、記録部２５が設けられている。記録部２５は、用紙Ｐに向けてインクを噴射する液体吐出部の一例としての記録ヘッド４６と、記録ヘッド４６を支持するキャリッジ４８とを備えている。キャリッジ４８は、筐体１２の内部に架設された幅方向Ｙに延びるガイド軸５０の軸線方向に沿って移動可能に構成されている。
【００１５】
そして、キャリッジ４８をガイド軸５０に沿って幅方向Ｙに往復移動させながら記録ヘッド４６から支持台４２に搬送される用紙Ｐにインクを噴射させることにより、用紙Ｐに対して記録が行われる。記録済みの用紙Ｐは、媒体排出部６０によって排出口１９から排出トレイ２２に排出される。
【００１６】
次に、媒体排出部６０の構成について詳細に説明する。
【００１７】
図３に示すように、媒体排出部６０は、第１排出部の一例としての第１排出ローラー６２と、第２排出部の一例としての第２排出ローラー６４と、媒体検出部を構成する光学式センサー６６とを備えている。
【００１８】
第１排出ローラー６２は、第１駆動ローラー６２Ａと、第１従動ローラー６２Ｂとを含み、用紙Ｐの搬送方向において記録部２５に隣接して配置されている。第１駆動ローラー６２Ａの頂部は、支持台４２の支持面と同一の高さに配置されている。そして、第１排出ローラー６２は、第１駆動ローラー６２Ａと第１従動ローラー６２Ｂとの間に用紙Ｐを挟
持した状態で、第１駆動ローラー６２Ａが回転駆動することにより、記録部２５において記録が行われた用紙Ｐを搬送する。
【００１９】
第２排出ローラー６４は、第２駆動ローラー６４Ａと、第２従動ローラー６４Ｂとを含み、第１排出ローラー６２よりも用紙Ｐの搬送方向の下流側に配置されている。そして、第２排出ローラー６４は、第２駆動ローラー６４Ａと第２従動ローラー６４Ｂとの間に用紙Ｐを挟持した状態で、第２駆動ローラー６４Ａが回転駆動することにより、第１排出ローラー６２により搬送される用紙Ｐを排出トレイ２２に排出する。第２排出ローラー６４は、第１排出ローラー６２よりも鉛直方向Ｚの上方に配置されている。そのため、媒体排出部６０における用紙Ｐの搬送経路は、用紙Ｐの搬送方向の上流側から下流側に向けて上り勾配となるように傾斜している。
【００２０】
光学式センサー６６は、紙ジャムを検出するためのセンサーであって、投光部６８と受光部７０とを有している。投光部６８は、用紙Ｐの搬送方向における第１排出ローラー６２と第２排出ローラー６４との間に配置されている。光学式センサー６６は、用紙Ｐの搬送経路よりも鉛直方向Ｚの上方に配置されている。光学式センサー６６は、用紙Ｐの搬送方向の上流側から下流側に向けて用紙Ｐの搬送経路に対して上り勾配となるように斜め傾斜して配置されている。
【００２１】
また、用紙Ｐの搬送経路よりも鉛直方向Ｚの下方には、媒体検出部を構成する反射板７２が配置されている。すなわち、反射板７２は、用紙Ｐの搬送経路を挟んで光学式センサー６６とは反対側となる位置に配置されている。反射板７２は、鉛直方向Ｚに対して斜めに交差している。反射板７２は、光学式センサー６６の投光部６８から照射される光の光路上に配置されている。そして、反射板７２は、投光部６８から照射された光を反射した反射光を受光部７０に入射させる。この場合、用紙Ｐが媒体排出部６０の搬送経路にあるときには、投光部６８から照射された光が用紙Ｐによって遮られるため、受光部７０には受光されない。一方、用紙Ｐが媒体排出部６０の搬送経路にないときには、投光部６８から照射された光が反射板７２によって反射されて受光部７０に受光される。そのため、光学式センサー６６は、媒体排出部６０の搬送経路における用紙Ｐの有無に基づいて、受光部７０の出力結果が切り替わる。
【００２２】
図４及び図５に示すように、光学式センサー６６は、媒体排出部６０の搬送経路を形成する経路形成部材７３に支持されている。経路形成部材７３は、用紙Ｐの幅方向Ｙに長く延びており、経路形成部材７３には、上述した第１従動ローラー６２Ｂ及び第２従動ローラー６４Ｂが回動自在に支持されている。第１従動ローラー６２Ｂ及び第２従動ローラー６４Ｂは、経路形成部材７３の長手方向に間隔を隔てた複数の位置に設けられている。経路形成部材７３における長手方向の中央位置には、光学式センサー６６が着脱可能に構成された装着口７４が設けられている。装着口７４は、光学式センサー６６を挿入するための挿入口７４Ａと、経路形成部材７３の長手方向の両側に向けて挿入口７４Ａの孔縁から拡開して形成される通気口７４Ｂとを含んでいる。通気口７４Ｂは、用紙Ｐの搬送経路に沿う方向とは異なる方向に開口している。装着口７４は、経路形成部材７３の長手方向において隣り合う第２従動ローラー６４Ｂの間となる位置に配置されている。そして、装着口７４の挿入口７４Ａに光学式センサー６６を挿入した状態で、固定ボルト８０によって光学式センサー６６を経路形成部材７３に対して固定している。
【００２３】
より詳細には、図６に示すように、光学式センサー６６は、基部６６Ａと、基部６６Ａから延出される延出部６６Ｂとを有している。基部６６Ａは、水平面に沿う平板状をなしており、経路形成部材７３における用紙Ｐの搬送方向の下流側の端部に対して固定ボルト８０によって締結されている。延出部６６Ｂは、基部６６Ａから用紙Ｐの搬送方向の上流側に向けて下り勾配をなすように傾斜して延出されている。延出部６６Ｂの下面には、投
光部６８及び受光部７０が延出部６６Ｂの延出方向に間隔を隔てて配置されている。この場合、延出部６６Ｂが用紙Ｐの搬送方向に対して傾斜していることから、投光部６８の投光面、及び、受光部７０の受光面も同様に、用紙Ｐの搬送方向に対して傾斜して配置されている。なお、経路形成部材７３は、投光部６８及び受光部７０が設けられる部位が鉛直方向Ｚの下方に開口している。
【００２４】
そのため、図７に示すように、経路形成部材７３は、装着口７４から光学式センサー６６を取り外した状態では、装着口７４は鉛直方向Ｚに貫通した空洞を形成する。この場合、光学式センサー６６に対向して配置された反射板７２に対して、経路形成部材７３よりも鉛直方向Ｚの上方から装着口７４を通じて操作することが可能である。
【００２５】
次に、本実施の形態のプリンター１１の作用について、特に、光学式センサー６６の作用に着目して以下説明する。
【００２６】
一般に、記録ヘッド４６から用紙Ｐにインクを吐出すると、記録部２５の周辺にはインクミストが発生する。こうしたインクミストは、用紙Ｐの搬送に伴って、用紙Ｐの搬送方向の下流側に向かう気流を発生する。そのため、記録部２５よりも用紙Ｐの搬送方向の下流側に光学式センサー６６を設置すると、インクミストが光学式センサー６６に付着して用紙Ｐの検出精度を低下させる虞があった。
【００２７】
この点、本実施の形態では、光学式センサー６６における投光部６８の投光面及び受光部７０の受光面が、用紙Ｐの搬送方向の上流側から下流側に向けて用紙Ｐの搬送経路に対して上り勾配となるように斜めに傾斜して配置されている。そのため、インクミストが用紙Ｐの搬送方向に沿うように気流を発生したとしても、こうしたインクミストが光学式センサー６６における投光部６８の投光面及び受光部７０の受光面に付着しにくい。
【００２８】
また、本実施の形態では、経路形成部材７３の長手方向の両側に向けて挿入口７４Ａの孔縁から拡開して通気口７４Ｂが形成されている。そのため、インクミストが用紙Ｐの搬送方向に沿うように気流を発生させて媒体排出部６０の搬送経路に進入したとしても、こうしたインクミストは通気口７４Ｂを通じて搬送経路から排出される。そのため、光学式センサー６６における投光部６８の投光面及び受光部７０の受光面へのインクミストの付着がより一層抑えられる。
【００２９】
また、本実施の形態では、光学式センサー６６に対向して配置される反射板７２が、鉛直方向Ｚに対して斜めに交差するように配置されている。そのため、用紙Ｐの搬送過程で用紙Ｐから紙粉が飛散したとしても、こうした紙粉は反射板７２の反射面を重力に従って垂下しやすい。したがって、反射板７２に対する紙粉の堆積に伴って、光学式センサー６６による用紙Ｐの検出精度に影響が及ぶことが抑えられる。
【００３０】
特に、本実施の形態では、光学式センサー６６が経路形成部材７３に対して着脱自在に構成されている。そのため、もし仮に、光学式センサー６６にインクミストが付着したとしても、光学式センサー６６を経路形成部材７３から取り外して投光部６８及び受光部７０からのインクミストの除去を容易に行うことができる。
【００３１】
また、経路形成部材７３から光学式センサー６６を取り外した状態では、経路形成部材７３の装着口７４を通じて反射板７２を操作可能に構成されている。そのため、プリンター１１から経路形成部材７３を取り外すことなく、装着口７４を通じて棒状のメンテナンス部材を挿入することにより、反射板７２に付着したインクミストや紙粉の除去を容易に行うことができる。
【００３２】
以上説明したように、上記実施の形態によれば、以下に示す効果が得られる。
【００３３】
（１）投光部６８の投光面及び受光部７０の受光面は、搬送経路に対して用紙Ｐの搬送方向の下流側に向けて用紙Ｐの搬送経路に対して上り勾配となるように傾いており、反射板７２は、鉛直方向Ｚに対して斜めに交差するように傾いている。そのため、用紙Ｐの搬送時に飛散する紙粉が反射板７２に堆積することを抑制できる。また、用紙Ｐの搬送方向に沿うように発生するインクミストの気流が投光部６８の投光面及び受光部７０の受光面に付着することを抑制できる。
【００３４】
（２）光学式センサー６６は、用紙Ｐの搬送経路における第１排出ローラー６２と第２排出ローラー６４との間に配置されている。そのため、第１排出ローラー６２及び第２排出ローラー６４によって挟持された用紙Ｐの搬送時に紙粉が飛散したとしても、こうした紙粉が光学式センサー６６の反射板７２に堆積することを抑制できる。
【００３５】
（３）媒体排出部６０には、搬送経路に沿う方向とは異なる方向に開口した通気口７４Ｂが設けられる。そのため、用紙Ｐの搬送方向に沿うように発生するインクミストの気流が通気口７４Ｂを通じて用紙Ｐの搬送経路から排出されることにより、インクミストが投光部６８の投光面及び受光部７０の受光面に付着することを抑制できる。
【００３６】
（４）媒体排出部６０は、用紙Ｐの搬送経路を形成する経路形成部材７３を有し、光学式センサー６６は、経路形成部材７３に支持されている。そのため、搬送経路を搬送する用紙Ｐを光学式センサー６６によって好適に検出することができる。
【００３７】
（５）経路形成部材７３は、光学式センサー６６が着脱可能に構成された装着口７４を有し、反射板７２は、装着口７４を通じて操作可能な位置に配置されている。そのため、経路形成部材７３の装着口７４から光学式センサー６６を取り外した状態では、経路形成部材７３をプリンター１１から取り外すことなく、反射板７２のメンテナンスを行うことができる。
【００３８】
なお、上記実施の形態は以下に示す変更例のように変更してもよい。さらに、上記実施の形態および以下に示す変更例を適宜組み合わせたものを、更なる変更例としてもよいし、以下に示す変更例同士を適宜組み合わせたものを、更なる変更例としてもよい。
【００３９】
・上記実施の形態において、用紙Ｐの搬送経路における第１排出ローラー６２と光学式センサー６６との間には、投光部６８または受光部７０に帯電した電荷を除去する除電部を設けてもよい。
【００４０】
・上記実施の形態において、経路形成部材７３は、光学式センサー６６を着脱可能に装着するための装着口７４とは別に、反射板７２のメンテナンスを行うための開口を設けてもよい。
【００４１】
・上記実施の形態において、光学式センサー６６は、投光部６８及び受光部７０が別ユニットとして構成され、双方のユニットのうち少なくとも一方が経路形成部材７３に対して着脱可能に構成されてもよい。
【００４２】
・上記実施の形態において、光学式センサー６６は、例えばプリンター１１の筐体１２等、用紙Ｐの搬送経路を形成する経路形成部材７３とは異なる部材に支持されてもよい。
【００４３】
・上記実施の形態において、経路形成部材７３は、必ずしも、装着口７４及び通気口７４Ｂが隣接して設けられる必要はなく、装着口７４及び通気口７４Ｂを別々の開口として
設けてもよい。また、通気口７４Ｂは、用紙Ｐの搬送経路から視て装着口７４と同一側に設けてもよいし、用紙Ｐの搬送経路から視て装着口７４とは反対側に設けてもよい。
【００４４】
・上記実施の形態において、反射板７２は、鉛直方向Ｚに対して斜めに交差するように傾いているのであれば、用紙Ｐの搬送方向に沿うように配置されてもよい。
【００４５】
以下、前記実施の形態および変更例から把握される技術思想を、効果と共に記載する。
【００４６】
給送部から給送された媒体に液体を吐出する液体吐出部と、前記液体吐出部により前記液体が吐出された前記媒体を排出する媒体排出部と、前記給送部から前記媒体排出部へと前記媒体が搬送される搬送経路と、前記媒体の前記搬送経路に配置され、前記搬送経路に沿って搬送される前記媒体を検出する媒体検出部とを備え、前記媒体検出部は、前記媒体に光を照射する投光部と、前記投光部から照射された光を受光する受光部とを有し、前記搬送経路よりも鉛直方向の上方に配置される光学式センサーと、前記媒体の搬送経路よりも鉛直方向の下方に配置され、前記投光部から照射された光を前記受光部に向けて反射する反射板とを有し、前記投光部の投光面及び前記受光部の受光面は、前記搬送経路に対して前記媒体の搬送方向の下流側に向けて上り勾配となるように傾いており、前記反射板は、鉛直方向に対して斜めに交差するように傾いている。
【００４７】
この構成によれば、媒体の搬送時に飛散する紙粉が反射板に堆積することを抑制できる。また、媒体の搬送方向に沿うように発生するインクミストの気流が投光部の投光面及び受光部の受光面に付着することを抑制できる。
【００４８】
上記液体吐出装置において、前記媒体排出部は、第１排出部と、前記第１排出部に対して前記媒体の搬送方向に間隔を隔てて配置された第２排出部とを備え、前記媒体検出部は、前記媒体の前記搬送経路における前記第１排出部と前記第２排出部との間に配置されるとよい。
【００４９】
この構成によれば、第１排出部及び第２排出部によって用紙が排出される際に紙粉が飛散したとしても、こうした紙粉が媒体検出部に堆積することを抑制できる。
【００５０】
上記液体吐出装置において、前記媒体排出部には、前記搬送経路に沿う方向とは異なる方向に開口した通気口が設けられるとよい。
【００５１】
この構成によれば、媒体の搬送方向に沿うように発生するインクミストの気流が通気口を通じて媒体の搬送経路から排出されることにより、インクミストが投光部の投光面及び受光部の受光面に付着することを抑制できる。
【００５２】
上記液体吐出装置において、前記媒体排出部は、媒体の搬送経路を形成する経路形成部材を有し、前記光学式センサーは、前記経路形成部材に支持されているとよい。
【００５３】
この構成によれば、搬送経路を搬送する媒体を光学式センサーによって好適に検出することができる。
【００５４】
上記液体吐出装置において、前記経路形成部材は、前記光学式センサーが着脱可能に構成された装着口を有し、前記反射板は、前記装着口を通じて操作可能な位置に配置されているとよい。
【００５５】
この構成によれば、経路形成部材の装着口から光学式センサーを取り外した状態では、経路形成部材を液体吐出装置から取り外すことなく、反射板のメンテナンスを行うことが
できる。
【符号の説明】
【００５６】
１１…液体吐出装置の一例としてのプリンター、４６…液体吐出部の一例としての記録ヘッド、６０…媒体排出部、６２…第１排出部の一例としての第１排出ローラー、６４…第２排出部の一例としての第２排出ローラー、６６…媒体検出部を構成する光学式センサー、６８…投光部、７０…受光部、７２…媒体検出部を構成する反射板、７４Ｂ…通気口。
【図１】
2020082355.tif 000003
【図２】
2020082355.tif 000004
【図３】
2020082355.tif 000005
【図４】
2020082355.tif 000006
【図５】
2020082355.tif 000007
【図６】
2020082355.tif 000008
【図７】
2020082355.tif 000009